(57)【要約】  【課題】  正面パネルを大型化可能とすると共に落下等不用意な衝撃が加わっても上下ケースの係合部が容易に外れないようにした。  【解決手段】  上ケース３と下ケース２とを重合することによって箱型の筐体１を形成し、上ケース３および下ケース２の正面１ｅ側に切欠き部３ａ、２ａをそれぞれ形成することによって筐体１の正面１ｅ側に開口部１６を形成して、開口部１６に正面パネル４を組み込む場合に、下ケース２における一方の側面１ａ側の係合凹部１１が凸円弧状部１０を有し、上ケース３における一方の側面１ａ側の係合突起１３が凹円弧状部１２を有することによって係合部Ｙを構成し、上下ケース２、３を重合組付する際に、凹円弧状部１２内を凸円弧状部１０が摺動可能となり、筐体１の正面側に形成される正面パネル挿入用の三角状の開口を大きく形成できるようにして、大型の正面パネルを使用可能とすると共に、一旦係合した係合凹部１１と係合突起１３との係合関係が不用意な衝撃によって容易に外れないようにした。【選択図】  図６
2006019574.tif 000002
【特許請求の範囲】
【請求項１】
上ケースと下ケースとを重合することによって箱型の筐体を形成し、前記上ケースおよび下ケースの正面側に切欠き部を形成することによって前記筐体の正面側に開口部を形成して、該開口部に正面パネルを組み込み、さらに、前記上ケースおよび下ケースのうち一方のケースにおける左右側面壁の一方に、係合突起を形成すると共に、該係合突起に対応して他方のケースの左右側壁の一方に、前記係合突起に係合する係合凹部を形成し、該係合凹部に前記係合突起を係合させながら、該係合凹部及び係合突起の係合部をヒンジ中心として、前記一方のケースに対して他方のケースを回動させて、前記一方のケースの左右側壁のうち他方側を他方のケースの左右側壁のうち他方側に当接させ、この過程において前記開口部における前記上ケースおよび下ケースにより前記正面パネルを挟合して前記開口部に前記正面パネルを組み込み、前記上ケースおよび下ケースにおける左右側壁の他方側を締着具により螺着して構成する電子機器の筐体構造であって、
前記係合突起における前記係合凹部の係合部を凹円弧状に形成すると共に、前記係合凹部に係合する前記係合突起を凸円弧状に形成したことを特徴とする電子機器の筐体構造。
【発明の詳細な説明】
【技術分野】
【０００１】
本発明は、電話回線を使用して情報通信を行う通信機器等の電子機器の筐体構造、特に、筐体の正面に正面パネルを装着して、縦型や横臥型等にして使用する種の電子機器の筐体構造に関する。
【背景技術】
【０００２】
従来のこの種の電子機器の筐体構造は、上面が開口した箱型の下ケースと下面が開口した箱型の上ケースとを開口部同士を対向させて重合することによって構成しており、この組み付ける際に、上下ケースの正面に設けた切欠き部により形成された正面開口に正面パネルを装着して構成していた。
【０００３】
そして、正面パネルを筐体に装着するやり方として、例えば、粘着テープ又は接着剤を用いて筐体の正面に装着するものや、ねじを用いて筐体の正面パネルに装着するものが知られていた(例えば、特許文献１参照)。
【特許文献１】特開2002-158453号公報(段落0011〜0015、図１等)。
【０００４】
このように構成する電子機器の筐体構造は、正面パネルを装着する粘着テープや接着剤或いはねじを用いることによるコストアップもさることながら、正面パネルの装着工数の増大に伴うコストアップもやむを得ず生ずることになる。
【０００５】
そこで、粘着テープや接着剤或いはねじ等を使用せず、正面パネルを筐体正面に装着する方式として、図１２乃至図１４或いは図１５乃至図１７に記載されたものが提案されている(類似する例として、特許文献２或いは３を参照)。
【特許文献２】特開平7-297565号公報(段落0017乃至0023、図１等)
【特許文献３】特開平8-316655号公報(段落0038、図１５等)。
【０００６】
図１２乃至図１４に記載された電子機器の筐体構造は、上面が開口した箱型の下ケース３１と下面が開口した上ケース３２とを開口部同士を対向させて重合することによって、筐体３０を構成している。
【０００７】
そして、上ケース３２の端部には、下ケース３１側に延在突出する突片３５ａが設けられており、突片３５ａに断面コ字状の係合凹部３５を形成している。
【０００８】
下ケース３１の端部は、まずそのまま状態で僅か突片３５側に立ち上がらせた立上がり端面３４ｂにしておき、更に立上がり端面３４ｂに連続させて厚さ方向に断面略代形状に切り込み３４ａを刻設することによって係合突起３４を形成している。
【０００９】
したがって、上ケース３２側の係合凹部３５に下ケース３１の係合突起３４を係合することによって、互いに平面的に係合する係合部Ｘを形成している。
【００１０】
また、筐体３０の左右側面のうち他方の側面３０ｂにおいて、上ケース３２側の端部にねじ(不図示)が螺合する螺合孔３２ｂを設けると共に、下ケース３１側の端部にねじを挿入埋設させるねじ埋設孔３１ｂを設け、埋設孔３１ｂにはねじの頭部が着座する着座部３１ｃが形成されている。
【００１１】
また、筐体３０の正面３０ｅ側において、下ケース３１及び上ケース３２に互いに正面３０ｅに向かってコ字状に切欠き部３１ａ、３２ａを形成することによって、開口部３６が形成されている。
【００１２】
更に、下ケース３１の切欠き部３１ａの端面部より下面３０ｃ側に向かって刻設された凹溝３６ａが形成されると共に、上ケース３２の切欠き部３２ａの端面部より上面３０ｄ側に向かって刻設された凹溝３６ｂが形成され、両凹溝３６ａ、３６ｂに正面パネル３３の上下端部を嵌合することによって、正面パネル３３を筐体の正面３０ｅ側に装着するように構成している。
【００１３】
上記のように構成する場合、係合突起３４を係合凹部３５に係合させた状態で、筐体３０の他方の側面３０ｂ側を例えば寸法ａ位開口した状態に保持する。
【００１４】
この結果、筐体３０の正面３０ｅ側が背面３０ｆ側と共に、筐体３０の一方の側面側を頂点とした三角状に開口することになる。
【００１５】
次に、この三角状の開口部に正面パネル３３を嵌め込んで、正面パネル３３の上下端部を凹溝３６ａ及び凹溝３６ｂにそれぞれ対向させた状態で、筐体３０の一方の側面３０ａ側において、係合凹部３５内に係合突起３３が摺動して所謂ヒンジ中心となりながら、筐体３０の他方の側面３０ｂ側において上ケース３２に対して下ケース３１を回転させ、開口寸法ａを解消させて、上ケース３２の下面に下ケース３１の上面を当接させ、ねじをねじ埋設孔３２ｂ側から挿入して螺合孔３１ｂに螺着し、このとき、切欠き部３１ａと切欠き部３２ａによって正面３０ｅ側に開口部３６が形成されて、正面パネル３３を下ケース３１と上ケース３２とで挟合装着し、上ケース３２に対して下ケース３１を固着組み付けして、筐体３０が完成する。
【００１６】
そして、正面パネル３３の両端部は両凹溝３６ａ、３６ｂ内に嵌合して組み込み装着されることになり、また、筐体３０の他方の側面側において、上ケース３２の端部上面に外方に開口するように設けた切欠き凹部３２ｄが下ケース３１の端部下面に内方に開口するように設けた切欠き凸部３２ｄに掛合して、筐体３０の内部の視認性をなくしている。
【００１７】
上記のように構成する電子機器の筐体構造は、少ないねじ本数によって、下ケース３１と上ケース３２の組み付けを実現したものである。
【００１８】
次に、図１５乃至図１７に記載された従来の電子機器の筐体構造について説明する。
【００１９】
図１５乃至図１７に示す筐体構造は、上記図１２乃至図１４に示すものに比して、筐体３０の一方の側面３０ａ側の係合構造を異にするほか、その他の構成においては同様なので、同一の符号を付して構成の詳細説明を割愛する。
【００２０】
すなわち、筐体３０の一方の側面３０ａ側において、上ケース３２の端部下面内側に、下ケース３１側に延在する弾性回動可能な係合爪片３７を形成すると共に、下ケース３１の端部下面内壁に係合爪片３７の鉤状係合部３７ａが係合する係合凹部３８を凹設した点を異にしている。
【００２１】
そして、このように構成する場合、筐体３０の一方の側面３０ａ側においては、上ケース３２側に下ケース３１をスライドさせることによって、係合爪片３７が下ケース３１の端部を摺動子ながら、撓み寸法ｂだけ筐体３０の内方に弾性的に回動し、鉤状係合部３７ａが係合凹部３８に到達した時点で、係合突起３７のリターン動によって係合凹部３８内に鉤状係合部３７ａを係合させて、下ケース３１と上ケース３２を組み付けている。
【発明の開示】
【発明が解決しようとする課題】
【００２２】
そして、図１１乃至図１３に示す従来の筐体構造においては、係合突起３４を係合凹部３５に係合させた状態で、筐体３０の他方の側面３０ｂ側を例えば寸法ａ位開口した状態に保持して、筐体３０の正面３０ｅ側に筐体３０の一方の側面側を頂点とした三角状に開口し、この三角状に開口した開口部に正面パネル３３を嵌め込んだ後、筐体３０の一方の側面３０ａ側において、係合凹部３５の平面上を係合突起３３が摺動して所謂ヒンジ中心となりながら、筐体３０の他方の側面３０ｂ側において上ケース３２に対して下ケース３１を回転させ、開口寸法ａを解消させて、上ケース３２の下面に下ケース３１の上面を当接させ、ねじをねじ埋設孔３２ｂ側から挿入して螺合孔３１ｂに螺着して、上ケース３２に対して下ケース３１を固着組み付け、正面ケース３３が凹溝３６ａ、３６ｂ内に嵌合することによって上下ケース３１、３２に挟着するようにして筐体３０に装着するものであり、係合突起３３と係合凹部３５とは、その係合部Ｘが平面組み合わせ形状になっているために、正面パネル３３を挿入すべく三角形状に開口した開口部３９における開口寸法ａは、余り大きくしようとすると、係合凹部３５と係合突起片３５との係合が外れてしまい、このために小さくせざるを得ず、結果として、三角形状の開口部３９の開口面積が大きく取れないことになって、正面パネル３３の大きさを制限せざるを得ず(図示の場合、正面パネル３３の大きさは筐体３０の正面全体の約半分くらいを占有する大きさとなっている)、正面パネル３３に多くの上方を表示することができないことになる。
【００２３】
また、図１４乃至図１６に示す従来の電子機器の筐体構造によれば、筐体３０の一方の側面３０ａ側においては、上ケース３２側に下ケース３１をスライドさせながら、係合爪片３７の鉤状係合部３７ａを係合凹部３８内に係合させることによって、下ケース３１と上ケース３２を組み付けているために、正面パネル３３を挿入するための開口面積は図１２ないし図１４に記載のものに比して大きく取れる反面、係合爪片３７の弾性変形を利用して鉤状係合部３７ａにおける係合凹部３８への係合保持を行うために、係合爪片３７の撓み寸法ｂを大きくしたいところであるが、係合爪片３７の強度的な関係から撓み寸法ｂを余り大きくとることはできず、このために、係合時の鉤状係合部３７ａと係合凹部３８との引っ掛かり量が小さくなってしまい、落下などの不用意の衝撃により係合凹部３８から鉤状係合部３７ａが外れてしまうおそれがあった。
【００２４】
そこで、本発明は、かかる点に鑑み、正面パネルを大型化可能とすると共に落下等不用意な衝撃が加わっても上下ケースの係合部が容易に外れないようにした電子機器の筐体構造を提供することを目的としている。
【課題を解決するための手段】
【００２５】
上記目的を達成するために、本発明に係る電子機器の筐体構造は、上ケースと下ケースとを重合することによって箱型の筐体を形成し、前記上ケースおよび下ケースの正面側に切欠き部を形成することによって前記筐体の正面側に開口部を形成して、該開口部に正面パネルを組み込み、さらに、前記上ケースおよび下ケースのうち一方のケースにおける左右側面壁の一方に、係合突起を形成すると共に、該係合突起に対応して他方のケースの左右側壁の一方に、前記係合突起に係合する係合凹部を形成し、該係合凹部に前記係合突起を係合させながら、該係合凹部及び係合突起の係合部をヒンジ中心として、前記一方のケースに対して他方のケースを回動させて、前記一方のケースの左右側壁のうち他方側を他方のケースの左右側壁のうち他方側に当接させ、この過程において前記開口部における前記上ケースおよび下ケースにより前記正面パネルを挟合して前記開口部に前記正面パネルを組み込み、前記上ケースおよび下ケースにおける左右側壁の他方側を締着具により螺着して構成する電子機器の筐体構造であって、前記係合突起における前記係合凹部の係合部を凹円弧状に形成すると共に、前記係合凹部に係合する前記係合突起を凸円弧状に形成したことを特徴とする。
【発明の効果】
【００２６】
上記のように構成する本発明において、係合凹部に係合突起を係合させながら、係合凹部及び係合突起の係合部をヒンジ中心として、一方のケースに対して他方のケースを回動させて、一方のケースの左右側壁のうち他方の側面側の端面を他方のケースの左右側面のうち他方の側面側の端面に当接させ、この過程において開口部における上ケースおよび下ケースにより正面パネルを挟合して開口部に正面パネルを組み込む場合、係合突起における係合凹部の係合部を凹円弧状に形成すると共に、係合凹部に係合する係合突起を凸円弧状に形成したために、下ケースに対する上ケースが、係合突起と係合凹部との係合関係を保持したまま、大きく回動できることになって、結果的に、正面パネルを組み込むための開口部面積を大きくすることによって、正面パネルとして、例えば筐体の正面略いっぱいの大きさに形成することによってＬＥＤや液晶等の情報表示量を満載した大型の正面パネルを採用できると共に、係合突起と係合凹部との引っ掛かり量を大きく取れて落下等の不用意な衝撃に対して容易に外れることがなく、しかも従来と同様に少ないねじ本数による上下ケースの取着を実現することができる。
【発明を実施するための最良の形態】
【００２７】
次に、前記図１乃至図１１を用いて、本発明を実施するための最良の実施の形態の一について説明する。
【００２８】
図１は本発明にかかる実施の形態を採用した電子機器の筐体構造の上面ケース及び正面パネル側から描画した斜視図、図２は同じく下面ケース及び背面側から描画した斜視図、図３は同じく下面ケース側から描画した平面図、図４は上面ケース側から描画した平面図、図５は同じく一側面部を上方にして縦型に使用する状態を描画した斜視図、図６は図３のＡ−Ａ断面図、図７は図６の円内における拡大図、図８は図６のＣ−Ｃ断面図、図９は同じく上面ケースに対して下面ケースを組み立てる過程を描画した図３におけるＡ−Ａ断面図、図１０は図９の円内における拡大図、図１１図４のＢ−Ｂ断面図である。
【００２９】
通信機器等の電子機器を収容する筐体１は、上面１ｄが開口した扁平の箱型を呈する下ケース２と下面１ｃが開口するやはり扁平な箱型を呈する上ケース３とを開口同士を対向させて重合組み付けし、正面１ｄ側に正面パネル４を配することによって構成している。
【００３０】
上ケース３の上面１ｄには、図１に示すように、放熱用の通風孔５と筐体１を縦置きに使用する際のスタンド６(図５参照)を嵌合するための一対のスタンド用嵌合溝７が形成されている。
【００３１】
下ケース２の下面１ｃには、図２に示すように、放熱用の通風孔５ａ、筐体１の縦置き時のスタンド６(図５参照)を嵌合するための一対のスタンド嵌合溝７ａ、及び筐体１を壁に掛けて使用する場合の壁掛け用固定溝８がそれぞれ設けられていると共に、上ケース３を上にして筐体１を横置きに使用する場合の設置面としての脚部９が下ケース２の４隅にそれぞれ形成されている。
【００３２】
筐体１の下面１ｃ、上面１ｄ及び背面１ｆには、通風孔５、５ａを通過するように、複数条の冷却フィン５ｃが突出形成されている。
【００３３】
筐体１の左右側面のうち一方の側面１ａにおいて、下ケース２側の端面から上面１ｄ側に略４半円の凸円弧状に形成された凸円弧状部１０を有する断面凹台形状の係合凹部１１を形成すると共に、上ケース３側の端面に下ケース２側に延在するように突片１３ａを突設しており、突片１３ａの外方面側に略４半円の凹円弧状に形成された凹円弧状部１２を有する断面略凸台形状の係合突起１３が形成されて、凹円弧状部１２に凸円弧状部１０を係合することによって、係合部Ｙを形成している。
【００３４】
筐体１の左右側面のうち他方の側面１ｂにおいて、上ケース３側の端部にねじ１９が螺合する螺合孔３ｂを設けると共に、下ケース２側の端部にねじ１９を挿入埋設させるねじ埋設孔２ｂを設け、且つ、埋設孔２ｂにはねじ１９の頭部が着座する着座部２ｃが形成されている。
【００３５】
筐体１の正面１ｅ側において、下ケース２及び上ケース３に互いに正面１ｅに向かってコ字状に切欠き部２ａ、３ａを形成することによって、開口部１６が形成されている。
【００３６】
上ケース３の切欠き部３ａの端面部より下面１ｃ側に向かって刻設された凹溝１６ａが形成されると共に、下ケース２の切欠き部２ａの端面部より上面１ｄ側に向かって刻設された凹溝１６ｂが形成され、両凹溝１６ａ、１６ｂに正面パネル４の上下端部を嵌合することによって、正面パネル４を筐体１の正面１ｅ側に挟合装着するように構成している。
【００３７】
上記のように構成する場合、係合突起１３を係合凹部１１に係合させた状態で、係合凹部１１の凸円弧状部１０が係合突起１３の凹円弧状部１２内を摺動しながら所謂ヒンジ中心となして、筐体１の正面１ｅ側を筐体１の一方の側面１ａ側を頂点とした三角状に開口しておく(図９及び図１０に示す状態)。
【００３８】
この場合、係合凹部１１が凸円弧状部１０を有すると共に係合突起１３が凹円弧状部１２を有するために、係合突起１２と係合凹部１１との係合関係を維持しつつ、下ケース２は上ケース３に対して少なくとも９０度くらいは回転可能であり、このために筐体１の正面１ｅ側に形成される三角形状の開口２０が正面１ｅの幅方向いっぱいに大きく形成することができ、この三角形状の開口に大型の正面パネル４を挿入することができる。
【００３９】
そして、この三角状の開口２０に大型化した正面パネル４を嵌め込んで、正面パネル４の上下端部をそれぞれ凹溝１６ａ及び凹溝１６ｂに対向させた状態で、筐体１の一方の側面１ａ側において、係合凹部１１の凸円弧状部１０が係合突起１３の凹円弧状部１２内を摺動し所謂ヒンジ中心を形成しながら、筐体１の他方の側面１ｂ側において上ケース３に対して下ケース２を前記とは逆方向に回転させ、上ケース３の下面に下ケース２の上面を当接させ、ねじをねじ埋設孔２ｂ側から挿入して螺合孔３ｂに螺着し、このとき、切欠き部２ａ及び切欠き部３ａによって正面側２ｅに開口部３６が形成されて、正面パネル４を下ケース２と上ケース３とで挟合装着し、上ケース３に対して下ケース２を重合組み付けして、筐体１が完成する。
【００４０】
このとき、正面パネル３の両端部は両凹溝１６ａ、１６ｂ内に嵌合して組み込み装着されることになり、また、筐体１の他方の側面１ｂ側において、上ケース３の端部下面に外方に開口するように設けた切欠き凹部３ｄが下ケース２の端部上面に内方に開口するように設けた切欠き凸部２ｄに掛合して、筐体１の内部の視認性をなくしている。
【００４１】
上記のように構成する電子機器の筐体構造は、下ケース２の下面１ｃ側に設けた一対のねじ孔１７から不図示のねじを挿通させて、ねじ１８を上ケース３側に螺着することによって、少ないねじ本数によって、下ケース２と上ケース３の重合組み付けを実現したものである。
【００４２】
なお、上ケース３の底部には、複数本のボス部１４を立設して、筐体１内に収納すべく、電子機器の一つであるプリント配線基板１５がボス部１４によって位置決めされると共に下ケース２側の台座２０との間で挟着固定されている。
【００４３】
上記のように構成する本発明にかかる実施の形態においては、係合凹部１２に係合突起１３を係合させながら、係合凹部１２及び係合突起１３の係合部Ｙをヒンジ中心として、上ケース３に対して下ケース２を回動させて、上ケース３の他方の側面１ｂ側の端面を下ケース２の他方の側面１ｂ側の端面に当接させ、この過程において開口部１６における上ケース３および下ケース２により正面パネル４を挟合して開口部１６に正面パネル４を組み込む場合、係合突起１３に凹円弧状部１２を形成すると共に、係合凹部１１に凸円弧状部１０を形成することによって係合部Ｙを形成したために、上ケース３に対する下ケース２が、係合突起１３と係合凹部１１との係合関係を保持したまま、大きく回動できることになって、結果的に、正面パネル４を組み込む開口部面積を大きくすることによって、正面パネル４として、例えば筐体１の正面略いっぱいの大きさに形成することによってＬＥＤや液晶等の情報表示量を満載した大型の正面パネルを採用できると共に、係合突起１３と係合凹部１１との引っ掛かり量を大きく取れて落下等の不用意な衝撃に対して容易に外れることがなく、しかも従来と同様に少ないねじ本数による上下ケース２，３の取着を実現することができる。
【産業上の利用可能性】
【００４４】
以上説明したように、本発明は、係合凹部に係合突起を係合させながら、係合凹部及び係合突起の係合部をヒンジ中心として、一方のケースに対して他方のケースを回動させて、一方のケースの左右側壁のうち他方側を他方のケースの左右側壁のうち他方側に当接させ、この過程において開口部における上ケースおよび下ケースにより正面パネルを挟合して開口部に正面パネルを組み込む場合、係合突起における係合凹部の係合部を凹円弧状に形成すると共に、係合凹部に係合する係合突起を凸円弧状に形成したために、下ケースに対する上ケースが、係合突起と係合凹部との係合関係を保持したまま、大きく開動できることになって、結果的に、正面パネルを組み込むための開口部面積を大きくすることによって、正面パネルとして、例えば筐体の正面略いっぱいの大きさに形成することによってＬＥＤや液晶等の情報表示量を満載した大型の正面パネルを採用できると共に、係合突起と係合凹部との引っ掛かり量を大きく取れて落下等の不用意な衝撃に対して容易に外れることがなく、しかも従来と同様に少ないねじ本数による上下ケースの取着を実現することができるために、電話回線を使用して情報通信を行う通信機器等の電子機器の筐体構造、特に、筐体の正面に正面パネルを装着して、縦型や横臥型等にして使用する種の電子機器の筐体構造等に好適である。
【図面の簡単な説明】
【００４５】
【図１】本発明にかかる実施の形態を採用した電子機器の筐体構造の上面ケース及び正面パネル側から描画した斜視図である。
【図２】同じく下面ケース及び背面側から描画した斜視図である。
【図３】同じく下面ケース側から描画した平面図である。
【図４】上面ケース側から描画した平面図である。
【図５】同じく一側面部を上方にして縦型に使用する状態を描画した斜視図である。
【図６】図３のＡ−Ａ断面図である。
【図７】図６の円内における拡大図である。
【図８】図６のＣ−Ｃ断面図である。
【図９】同じく上面ケースに対して下面ケースを組み付ける中途状態を描画した図３におけるＡ−Ａ断面図である。
【図１０】図９の円内の拡大図である。
【図１１】図４のＢ−Ｂ断面図である。
【図１２】従来の一例を示す電子機器の筐体構造の下面ケースに対して上面ケースを組み付ける中途状態を描画した側面断面図である。
【図１３】図１２の円内の拡大図である。
【図１４】図１２のＤ−Ｄ断面図である。
【図１５】従来の他の例を示す電子機器の筐体構造の下面ケースに対して上面ケースを組み付ける中途状態を描画した側面断面図である。
【図１６】図１４の円内の拡大図である。
【図１７】図１５のＥ−Ｅ断面図である。
【符号の説明】
【００４６】
１    筐体
１ａ  一方の側面
１ｂ  他方の側面
１ｅ  正面
２    下ケース
２ａ  切欠き部
３    上ケース
３ａ  切欠き部
４    正面パネル
１０    凸円弧状部
１１    係合凹部
１２    凹円弧状部
１３    係合突起
１６    開口部
Ｙ    係合部
【図１】
2006019574.tif 000003
【図２】
2006019574.tif 000004
【図３】
2006019574.tif 000005
【図４】
2006019574.tif 000006
【図５】
2006019574.tif 000007
【図６】
2006019574.tif 000008
【図７】
2006019574.tif 000009
【図８】
2006019574.tif 000010
【図９】
2006019574.tif 000011
【図１０】
2006019574.tif 000012
【図１１】
2006019574.tif 000013
【図１２】
2006019574.tif 000014
【図１３】
2006019574.tif 000015
【図１４】
2006019574.tif 000016
【図１５】
2006019574.tif 000017
【図１６】
2006019574.tif 000018
【図１７】
2006019574.tif 000019